(57)【要約】【課題】ピックアップに影響を及ぼさないディスクアダプタを提供すること。【解決手段】本発明のディスクアダプタ１０は、スロットイン方式のディスク装置２０に用い、ディスクＡを配置する空間１１を形成するアダプタ本体と１２、ディスクＡを保持するディスク保持部１３と、ディスクＡを挟持する方向にディスク保持部１３を付勢する弾性力付与部１４と、ディスクＡを離脱する方向にディスク保持部１３を変位させる変位部１５とを備え、変位部１５が、ディスク装置２０に設けたトリガー部３１によって動作することを特徴とする。【選択図】        図１
2008047191.tif 000002
【特許請求の範囲】
【請求項１】
スロットイン方式のディスク装置に用いるディスクアダプタであって、ディスクを配置する空間を形成するアダプタ本体と、前記ディスクを保持するディスク保持部と、前記ディスクを挟持する方向に前記ディスク保持部を付勢する弾性力付与部と、前記ディスクを離脱する方向に前記ディスク保持部を変位させる変位部とを備え、前記変位部が、前記ディスク装置に設けたトリガー部によって動作することを特徴とするディスクアダプタ。
【請求項２】
前記変位部が前記ディスク装置内の所定の位置に到達したときに、前記トリガー部が前記変位部に作用することを特徴とする請求項１に記載のディスクアダプタ。
【請求項３】
前記弾性力付与部としてばね材を用い、前記ばね材によって前記ディスク保持部を、前記ディスクの中心方向に付勢したことを特徴とする請求項１に記載のディスクアダプタ。
【請求項４】
前記ディスク装置に設けたレバーが当接する面を、前記アダプタ本体の外周部に形成したことを特徴とする請求項１に記載のディスクアダプタ。
【請求項５】
前記ディスク装置に設けたピックアップの移動範囲に開口部を形成したことを特徴とする請求項１に記載のディスクアダプタ。
【請求項６】
ディスク装填時にディスクを保持する為に昇降するターンテーブルを有するスロットイン方式のディスク装置に用いるディスクアダプタであって、前記ディスクを配置する空間を形成するアダプタ本体と、前記ディスクを載置する載置部とを備え、前記ターンテーブル上昇時に、前記ディスクが前記ターンテーブルに保持されるとともに前記載置部から離脱することを特徴とするディスクアダプタ。
【請求項７】
前記空間の外周面に沿って脱落防止部を設け、前記脱落防止部と蓋体との間の寸法が前記ディスクの厚さ寸法より小さくなるように前記脱落防止部を形成したことを特徴とする請求項６記載のディスクアダプタ。
【請求項８】
請求項１から請求項７に記載のディスクアダプタを用いるディスク装置であって、前記変位部を動作させるトリガー部を設けたことを特徴とするディスク装置。
【発明の詳細な説明】
【技術分野】
【０００１】
本発明は、ＣＤやＤＶＤなどのディスク、及びこのディスクを保持するディスクアダプタ及びこのディスクアダプタを用いるディスク装置に関する。
【背景技術】
【０００２】
従来のディスクアダプタを図６から図８に示す（特許文献１）。
図６は同ディスクアダプタの平面図、図７は同ディスクアダプタの要部拡大平面図、図８は図７のＸ−Ｘ線断面図である。
図６に示すように、従来のディスクアダプタは、リング状に形成されたアダプタ本体１０１の内周に、３つのヒンジ部１１０が等間隔に形成され、それぞれのヒンジ部１１０には、一つの押圧部１２０が形成されている。なお、押圧部１２０には、ディスク１０２の一方の面を支持する表突起１３０が形成されている。また、これらヒンジ部１１０の間には、ディスク１０２の他方の面を支持する裏突起１４０が形成されている。
押圧部１２０は、図７及び図８に示すように、ディスク１０２の外周に当接し、ヒンジ部１１０による弾性力によってディスク１０２を中心方向に押圧している。
【特許文献１】意匠登録第８７３１６９号公報
【発明の開示】
【発明が解決しようとする課題】
【０００３】
しかし、上記従来のディスクアダプタには、一方の面には表突起１３０が、他方の面には裏突起１４０が形成されており、これら表突起１３０及び裏突起１４０は、ディスク１０２の厚さよりも突出している。
一方、光ディスク装置には、一般的に、光学レンズを半径及び、フォーカス方向に可動するアクチュエータコイルが構成されており、ディスク及びピックアップの光学設計により定められた位置でフォーカシング制御が行われ、光学レンズはディスクのデータ面に略一定距離に制御される。
ところが、ディスク及びピックアップの光学設計の組み合わせによっては、フォーカシング時のディスクと光学レンズの距離が近く、最外周付近のデータを再生する際に、この様な突出部に光学レンズ、もしくは光学レンズを保護する目的で光学レンズよりも突出して設けられている光学レンズ保護部材（レンズプロテクタ）がひっかかることにより、アクチュエータコイルを損傷してしまうという問題がある。
また、フォーカシング時に十分な距離が確保可能な光学設計となっているディスクと光学ピックアップとの組み合わせの場合でも、衝撃やディスク上の損傷、多層ディスクの層間移動の失敗などによりフォーカス制御がはずれた場合にも同様の可能性がある。
【０００４】
そこで本発明は、ピックアップに影響を及ぼさないディスクアダプタを提供することを目的とする。
【課題を解決するための手段】
【０００５】
請求項１記載の本発明のディスクアダプタは、スロットイン方式のディスク装置に用いるディスクアダプタであって、ディスクを配置する空間を形成するアダプタ本体と、前記ディスクを保持するディスク保持部と、前記ディスクを挟持する方向に前記ディスク保持部を付勢する弾性力付与部と、前記ディスクを離脱する方向に前記ディスク保持部を変位させる変位部とを備え、前記変位部が、前記ディスク装置に設けたトリガー部によって動作することを特徴とする。
請求項２記載の本発明は、請求項１に記載のディスクアダプタにおいて、前記変位部が前記ディスク装置内の所定の位置に到達したときに、前記トリガー部が前記変位部に作用することを特徴とする。
請求項３記載の本発明は、請求項１に記載のディスクアダプタにおいて、前記弾性力付与部としてばね材を用い、前記ばね材によって前記ディスク保持部を、前記ディスクの中心方向に付勢したことを特徴とする。
請求項４記載の本発明は、請求項１に記載のディスクアダプタにおいて、前記ディスク装置に設けたレバーが当接する面を、前記アダプタ本体の外周部に形成したことを特徴とする。
請求項５記載の本発明は、請求項１に記載のディスクアダプタにおいて、前記ディスク装置に設けたピックアップの移動範囲に開口部を形成したことを特徴とする。
請求項６記載の本発明のディスクアダプタは、ディスク装填時にディスクを保持する為に昇降するターンテーブルを有するスロットイン方式のディスク装置に用いるディスクアダプタであって、前記ディスクを配置する空間を形成するアダプタ本体と、前記ディスクを載置する載置部とを備え、前記ターンテーブル上昇時に、前記ディスクが前記ターンテーブルに保持されるとともに前記載置部から離脱することを特徴とする。
請求項７記載の本発明は、請求項６に記載のディスクアダプタにおいて、前記空間の外周面に沿って脱落防止部を設け、前記脱落防止部と蓋体との間の寸法が前記ディスクの厚さ寸法より小さくなるように前記脱落防止部を形成したことを特徴とする。
請求項８記載の本発明のディスク装置は、請求項１から請求項７に記載のディスクアダプタを用いるディスク装置であって、前記変位部を動作させるトリガー部を設けたことを特徴とする。
【発明の効果】
【０００６】
本発明によれば、ディスクアダプタをディスク面から突出させることなく構成することができる。
【発明を実施するための最良の形態】
【０００７】
本発明の第１の実施の形態によるディスクアダプタは、ディスクを配置する空間を形成するアダプタ本体と、ディスクを保持するディスク保持部と、ディスクを挟持する方向にディスク保持部を付勢する弾性力付与部と、ディスクを離脱する方向にディスク保持部を変位させる変位部とを備え、変位部が、ディスク装置に設けたトリガー部によって動作するものである。本実施の形態によれば、ディスクアダプタによってディスクをディスク装置内に導いた後には、ディスクをディスクアダプタから離脱させることができる。従って、ピックアップに対するディスクアダプタの干渉を防ぐことができるとともに、ディスクの回転に対するディスクアダプタの影響を無くすことができる。
本発明の第２の実施の形態は、第１の実施の形態によるディスクアダプタにおいて、変位部がディスク装置内の所定の位置に到達したときに、トリガー部が変位部に作用するものである。本実施の形態によれば、ディスクの引き込み動作中には、ディスクアダプタによってディスクを確実に保持できるとともに、引き込み動作終了後にディスクをディスクアダプタから離脱させることができる。
本発明の第３の実施の形態は、第１の実施の形態によるディスクアダプタにおいて、弾性力付与部としてばね材を用い、ばね材によってディスク保持部を、ディスクの中心方向に付勢したものである。本実施の形態によれば、ばね材によってディスクを確実に挟持することができる。
本発明の第４の実施の形態は、第１の実施の形態によるディスクアダプタにおいて、ディスク装置に設けたレバーが当接する面を、アダプタ本体の外周部に形成したものである。本実施の形態によれば、ディスクアダプタを大径のディスクと同様に扱うことができ、既存のディスク装置のレバー動作をそのまま利用することができる。
本発明の第５の実施の形態は、第１の実施の形態によるディスクアダプタにおいて、ディスク装置に設けたピックアップの移動範囲に開口部を形成したものである。本実施の形態によれば、ディスクアダプタによるピックアップへの影響を確実に無くすことができる。
本発明の第６の実施の形態によるディスクアダプタは、ディスクを配置する空間を形成するアダプタ本体と、ディスクを載置する載置部とを備え、ターンテーブル上昇時に、ディスクがターンテーブルに保持されるとともに載置部から離脱するものである。本実施の形態によれば、ディスクアダプタによってディスクをディスク装置内に導いた後には、ディスクをディスクアダプタから離脱させることができる。従って、ピックアップに対するディスクアダプタの干渉を防ぐことができるとともに、ディスクの回転に対するディスクアダプタの影響を無くすことができる。
本発明の第７の実施の形態は、第６の実施の形態によるディスクアダプタにおいて、空間の外周面に沿って脱落防止部を設け、脱落防止部と蓋体との間の寸法がディスクの厚さ寸法より小さくなるように脱落防止部を形成したものである。本実施の形態によれば、ディスクの装置内への挿入時に、ディスクが、ディスクアダプタから脱落することを防止することができる。
本発明の第８の実施の形態によるディスク装置は、変位部を動作させるトリガー部を設けたものである。本実施の形態によれば、トリガー部によって変位部を動作させるため、ディスクアダプタの位置によってディスクの離脱を行うことができる。
【実施例１】
【０００８】
以下本発明の一実施例によるディスク装置及びディスクアダプタについて説明する。
図１は本実施例によるディスクアダプタをディスク装置に挿入する前の状態を示す平面図、図２は同ディスクアダプタをディスク装置に挿入し、同ディスクアダプタからディスクを離脱させた状態を示す平面図である。
図に示すように、本実施例のディスクアダプタ１０は、ディスクＡを配置する空間１１を形成するアダプタ本体１２と、ディスクＡを保持するディスク保持部１３と、ディスクＡを挟持する方向にディスク保持部１３を付勢する弾性力付与部１４と、ディスクＡを離脱する方向にディスク保持部１３を変位させる変位部１５とを備えている。
また、ディスクアダプタ１０は、ディスク装置２０に設けたピックアップ２４の移動範囲に開口部１６を形成している。
【０００９】
空間１１は、対象となるディスクＡの外形寸法よりも大きな寸法で形成されている。空間１１は、ディスクＡと同心円状の円形としているが、楕円形状やその他の形状であってもよい。
ディスク保持部１３は、アダプタ本体１２に変位可能に設けられている。本実施例では、一対の対向するディスク保持部１３を備えているが、等間隔に配置した３つのディスク保持部１３によって構成してもよい。また、本実施例による一対のディスク保持部１３は、共に可動式としているが、一方だけを変位させる構成であってもよい。
これらディスク保持部１３は、それぞれ弾性力付与部１４によってディスクＡを挟持する方向に付勢されている。また、弾性力付与部１４には、変位部１５が当接する斜面を形成している。
変位部１５は、棒状のスライダーによって構成され、この変位部１５の軸方向に変位するように、アダプタ本体１２に変位可能に設けられている。
それぞれの変位部１５は、一端が弾性力付与部１４の斜面に当接し、他端がディスクアダプタ１０よりも突出している。
アダプタ本体１２の外周面には、第１の当接面１７と、第２の当接面１８と、第３の当接面１９が形成されている。第１の当接面１７は、大径のディスク外径と同一径の円弧形状で形成され、第２の当接面１８は段部が形成され、第３の当接面１９は直線部が形成されている。第３の当接面１９は、第１の当接面１７と対向する位置に形成している。また、第２の当接面１８は、ベース本体のリア面側に形成している。
【００１０】
本実施例によるディスク装置２０は、ベース本体と蓋体とからシャーシ外装が構成され、このシャーシ外装のフロント面にベゼルが装着される。また本実施例によるディスク装置２０は、ベゼルに設けたディスク挿入口からディスクを直接挿入するスロットイン方式のディスク装置である。ディスクへの記録再生機能やディスクのローディング機能を行う各部品は、ベース本体に装着される。
ベース本体のフロント側にはディスクを直接挿入するディスク挿入口２１を形成し、ベース本体のディスク挿入口２１側にはトラバース２２が配置されている。
トラバース２２は、スピンドルモータ２３とピックアップ２４とピックアップ２４を移動させる駆動手段とを保持している。スピンドルモータ２３はトラバース２２の一端側に設けられ、ピックアップ２４はトラバース２２の一端側から他端側までを移動可能に設けている。またピックアップ２４は停止時にはトラバース２２の他端側に配置される。
スピンドルモータ２３は、ベース本体の中央部に位置し、またピックアップ２４の往復動範囲は、スピンドルモータ２３よりもディスク挿入口２１側に配設されている。
インシュレータ２５は、スピンドルモータ２３の位置よりもピックアップ２４の静止位置側に配設し、ピックアップ２４の静止位置よりもディスク挿入口２１側の位置に配設している。インシュレータ２５は、弾性材料からなるダンパー機構を備え、トラバース２２がベース本体から離間する方向に変位することができる。
【００１１】
ベース本体のディスク挿入口２１近傍の一端側には、所定長さの第１のディスクガイド２６が設けられている。この第１のディスクガイド２６は、ディスク挿入側から見た断面が、「コ」の字状の溝を有している。この溝によってディスクは支持される。
一方、ディスク挿入口２１の他端側のベース本体内には、引き込みレバー２７が設けられ、この引き込みレバー２７の可動側端部に第２のディスクガイド２７Ａを備えている。第２のディスクガイド２７Ａは、円筒状のローラで構成され、引き込みレバー２７の可動側端部に回動自在に設けられている。また、第２のディスクガイド２７Ａのローラ外周には溝が形成され、この溝によってディスクは支持される。
引き込みレバー２７Ａは、可動側端部が固定側端部よりもディスク挿入口２１側で動作するように配置され、固定側端部に回動支点２７Ｂを有している。
また、引き込みレバー２７の裏面（ベース本体側の面）の可動側端部と固定側端部との間には長溝２７Ｃが設けられている。
【００１２】
引き込みレバー２７は、サブレバー２８によって動作する。
サブレバー２８は、可動側の一端に凸部２８Ａを備え、他端側に回動支点２８Ｂを備えている。サブレバー２８の凸部２８Ａは、引き込みレバー２７の長溝２７Ｃ内を摺動する。そして、サブレバー２８の動作によって、引き込みレバー２７の第２のディスクガイド２７Ａがスピンドルモータ２３に近接離間するように動作する。
ベース本体の引き込みレバー２７と異なる側部には、排出レバー２９が設けられている。この排出レバー２９の可動側端部にはガイド２９Ａが設けられ、排出レバー２９の他端側には回動支点２９Ｂが設けられている。また、排出レバー２９の可動側端部には、ガイド２９Ａよりもリア面側に当接部２９Ｃが設けられている。また、排出レバー２９には、弾性体が設けられ、当接部２９Ｃは、弾性体によってリア面側に引き込まれた場合に、ベース本体の当接部に当接する。また排出レバー２９は、弾性体の弾性力によってディスク挿入口２１側に引き出される。
ベース本体のリア面側には規制レバー３０が設けられている。この規制レバー３０はリア面側端部を回動支点３０Ａとし、可動側端部にガイド３０Ｂを備えている。この規制レバー３０は、弾性体によってガイド３０Ｂ側が常にフロント側に突出するように付勢されている。
また、ベース本体のリア面側には、一対のトリガー部３１が設けられている。一対のトリガー部３１は、規制レバー３０の両側部に設けられている。
【００１３】
次に本実施例によるディスクアダプタ１０をディスク装置２０に挿入する場合の動作について説明する。
図１の状態から、ディスクアダプタ１０をディスク装置２０に挿入すると、まず、引き込みレバー２７の第２のディスクガイド２７Ａが第１の当接面１７に当接する。
第２のディスクガイド２７Ａが第１の当接面１７に当接することで、ディスクアダプタ１０は、第２のディスクガイド２７Ａによって押圧され、第３の当接面１９は第１のディスクガイド２６に当接する。
ディスクアダプタ１０は、第１のディスクガイド２６と第２のディスクガイド２７Ａによって位置規制されながらディスク装置２０に挿入される。
ディスクアダプタ１０をディスク装置２０内に所定量挿入すると、その後は引き込みレバー２７によってディスク装置２０内に引き込まれる。
そして第２の当接面１８に規制レバー３０のガイド３０Ｂが当接し、ディスクアダプタ１０は、規制レバー３０を押圧しながら更にリア面側に移動する。
【００１４】
ディスクアダプタ１０がディスク装置２０内の所定の位置まで引き込まれると、チャッキング動作を行う。このチャッキング動作は、トラバース２２が蓋体側に変位することで、スピンドルモータ２３に設けたハブがディスクＡの孔に装着される。
このチャッキング動作とともに、さらにディスクアダプタ１０はディスク装置２０内に引き込まれ、変位部１５がトリガー部３１に当接し、ディスクアダプタ１０の移動にともなって、変位部１５はフロント面側に変位する。
変位部１５が変位することで、弾性力付与部１４は、ディスク保持部１３をディスクＡから引き離す方向に動作させる。この動作によってディスクＡは、図２に示すようにディスク保持部１３から離脱する。
その後、ディスクＡの再生や記録動作を行うが、ディスクＡは、ディスクアダプタ１０から離脱した状態で回転する。
【００１５】
以上のように、本実施例によれば、ディスクアダプタ１０によってディスクＡをディスク装置２０内に導いた後には、ディスクＡをディスクアダプタ１０から離脱させることができるので、ピックアップ２４に対するディスクアダプタ１０の干渉を防ぐことができるとともに、ディスクＡの回転に対するディスクアダプタ１０の影響、すなわちディスクＡの回転時の偏心を無くすことができる。
【００１６】
次に本発明の他の実施例によるディスクアダプタについて説明する。
図３は本実施例によるディスクアダプタの平面図、図４はディスク挿入時を示す同ディスクアダプタの側面図、図５はディスクの装着時を示す同ディスクアダプタの側面図である。なお、上記実施例と同一部材には同一符号を付して説明を一部省略する。
本実施の形態によるディスクアダプタ１０は、ディスクＡを配置する空間１１を形成するアダプタ本体１２と、ディスクＡを載置する載置部１３Ａと、空間１１の外周面に沿って脱落防止部１３Ｂを備えている。なお、図中では、シャーシ外装を構成する蓋体４０を示している。
載置部１３Ａは、アダプタ本体１２の裏面側であって空間１１の外周面から中心に向かって延出して形成されている。また、脱落防止部１３Ｂは、アダプタ本体１２の表面側であって空間１１を塞ぐことなく所定の高さで形成されている。このとき、脱落防止部１３Ｂの高さは、ディスク挿入時における脱落防止部１３Ｂと蓋体４０との間の寸法がディスクＡの厚さ寸法より小さくなるように形成している。なお、脱落防止部１３Ｂは、ディスクアダプタ１０をディスク装置に挿入する際に、蓋体４０に当接するものであってもよい。
本実施例によれば、ディスクＡの装置内への挿入時に、ディスクＡが、ディスクアダプタ１０から脱落することを防止することができる。
【産業上の利用可能性】
【００１７】
本発明のディスク及びディスクアダプタは、特にスリムスロットタイプやハーフハイトドライブの垂直姿勢など、従来では再生不可能であったディスク装置において、８センチディスク及びその再生のためのディスクアダプタとして利用できる。
【図面の簡単な説明】
【００１８】
【図１】本発明の一実施例によるディスクアダプタをディスク装置に挿入する前の状態を示す平面図
【図２】同ディスクアダプタをディスク装置に挿入し、同ディスクアダプタからディスクを離脱させた状態を示す平面図
【図３】本発明の他の実施例によるディスクアダプタの平面図
【図４】ディスク挿入時を示す同ディスクアダプタの側面図
【図５】ディスクの装着時を示す同ディスクアダプタの側面図
【図６】従来のディスクアダプタの平面図
【図７】同ディスクアダプタの要部拡大平面図
【図８】図７のＸ−Ｘ線断面図
【符号の説明】
【００１９】
１０  ディスクアダプタ
１１  空間
１２  アダプタ本体
１３  ディスク保持部
１４  弾性力付与部
１５  変位部
１６  開口部
１７  第１の当接面
１８  第２の当接面
１９  第３の当接面
２０  ディスク装置
２１  ディスク挿入口
２４  ピックアップ
３１  トリガー部
【図１】
2008047191.tif 000003
【図２】
2008047191.tif 000004
【図３】
2008047191.tif 000005
【図４】
2008047191.tif 000006
【図５】
2008047191.tif 000007
【図６】
2008047191.tif 000008
【図７】
2008047191.tif 000009
【図８】
2008047191.tif 000010